(57)【要約】 【課題】  従来の冷蔵庫は、冷蔵室扉ポケット部に２Ｌペットボトル等の収納物を前後に収納する場合、収納しずらく、かつ取出し性も悪くユーザーの使い勝手に問題があった。【解決手段】  冷蔵室扉内側に扉内板ポケットの側壁土手部を設け、かつ前後方向に複数に区画形成した収納物を収納するポケットを設け冷蔵庫において、前記扉内板ポケット側壁土手部に前後２列に収納された収納物の奥側の収納物を容易に取出し可能とするユニバーサルカット部を設けた。【選択図】  図１
2007046847.tif 000002
【特許請求の範囲】
【請求項１】
冷蔵室の扉内側に扉内板ポケットの側壁土手部を設け、かつ前後方向に複数に区画形成した収納物を収納するポケットを設けた冷蔵庫において、前記扉内板ポケットの側壁土手部に前後２列に収納された収納物の奥側の収納物を容易に取出し可能とするユニバーサルカット部を設けたことを特徴とした冷蔵庫。
【請求項２】
前記冷蔵室の扉は両側に開閉する２つの扉であって、前記各扉に設けた扉内板ポケットの奥側に前記収納物を並列配置し、両側から収納物を取出せるようそれぞれの扉内板ポケットの左右側壁土手部にそれぞれユニバーサルカット部を設けた構造にしたことを特徴とする冷蔵庫。
【請求項３】
前記ユニバーサルカット部の前記扉内板ポケットの区画壁との奥行き差寸法を収納物奥行きの少なくとも９０％以上としたことを特徴とする請求項１又は請求項３記載の冷蔵庫。
【請求項４】
前記ユニバーサルカット部の高さが前記扉内板ポケットの区画壁の奥側に収納物を収納したときの収納物の頂部との差が１０ｍｍ以内であることを特徴とする請求項１乃至請求項３のいずれか１項に記載の冷蔵庫。
【請求項５】
前記ユニバーサルカット部の側壁裏側に断熱材に突入する状態で裏リブを設けたたことを特徴とする請求項１又は請求項４のいずれか１項に記載の冷蔵庫。
【請求項６】
冷蔵庫扉内板をインジェクション成形したことを特徴とする請求項１乃至請求項５のいずれか１項に記載の冷蔵庫。
【発明の詳細な説明】
【技術分野】
【０００１】
この発明は、複数の収納室を有する冷蔵庫の扉内板ポケットの収納に関するものである。
【背景技術】
【０００２】
従来の冷蔵庫は、冷蔵室扉の内側を構成する冷蔵室扉内板に小物収納ポケットを複数段有し、それぞれ小物収納ポケット、中物収納ポケット、大物収納ポケットを扉内板側にそれぞれ備え、その中に被収納物を載置していた。また、一部収納ポケットには、回転トレイ又はポケット側壁に物品を収納したまま自在に被収納物を取出す切欠き構造を有するものがあった。（例えば、特許文献１参照）。
【特許文献１】特開２００３−６５６６６
【発明の開示】
【発明が解決しようとする課題】
【０００３】
しかしながら、従来の冷蔵庫では下段収納ポケットが前後に区画されていないため下段収納ポケット、例えば、２Ｌペットボトル（以降  大物収納物と称す）や１Ｌ牛乳パックといった飲料品等の収納物の収納性が悪く、ユーザーの使い勝手に問題があった。
【０００４】
また、特許文献１に示す冷蔵庫では、切欠きが設けられているほうに回転トレイが収納されているため、大物収納物である２Ｌペットボトル等を回転トレイの左側に収納するしかなく、扉を全開しなければ取り出しようもなく、回転トレイを切欠きとは反対側に収納したとすれば、切欠きを利用して、冷蔵室扉を少しだけ開けて回転トレイへの収納物を取り出すという利点が生かせなくなってしまい、ユーザーの使い勝手を損ねるばかりでなく、ユーザーの冷蔵室扉収納の選択を制限する等の問題を有していた。
【０００５】
この発明は、上記のような問題点を解決するためになされたもので、ユーザーの使い勝手を向上させ、かつユーザーの冷蔵室扉収納の選択条件を拡大することを目的とする。
【課題を解決するための手段】
【０００６】
この発明の冷蔵庫は、冷蔵室の扉内側に扉内板ポケットの側壁土手部を設け、かつ前後方向に複数に区画形成した収納物を収納するポケットを設けた冷蔵庫において、前記扉内板ポケットの側壁土手部に前後２列に収納された収納物の奥側の収納物を容易に取出し可能とするユニバーサルカット部を設けたものである。
【０００７】
また、この発明の冷蔵庫は、冷蔵室の扉は両側に開閉する２つの扉であって、前記各扉に設けた扉内板ポケットの奥側に前記収納物を並列配置し、両側から収納物を取出せるようそれぞれの扉内板ポケットの左右側壁土手部にそれぞれユニバーサルカット部を設けた構造としたものである。
【発明の効果】
【０００８】
この発明に係る冷蔵庫によれば、冷蔵室の扉内側に扉内板ポケットの側壁土手部を設け、かつ前後方向に複数に区画形成した収納物を収納するポケットを設けた冷蔵庫において、前記扉内板ポケットの側壁土手部に前後２列に収納された収納物の奥側の収納物を容易に取出し可能とするユニバーサルカット部を設けた構成としたので、該ポケットに収納した２Ｌペットボトル等の大物収納物の取り出しが容易になる使い勝手のよい冷蔵庫を提供することができ、かつ冷蔵庫のスペース効率の優れた冷蔵庫を提供することができるとともに、コストを比較的抑えて、ユニバーサルデザインを考慮した使い勝手の優れた冷蔵庫を提供することができる効果を有する。
【０００９】
また、この発明の冷蔵庫は、冷蔵室の扉は両側に開閉する２つの扉であって、前記各扉に設けた扉内板ポケットの奥側に前記収納物を並列配置し、両側から収納物を取出せるようそれぞれの扉内板ポケットの左右側壁土手部にそれぞれユニバーサルカット部を設けた構造にしたから、該ポケットに収納した２Ｌペットボトル等の大物収納物の取り出しが容易になることは勿論、左利きのユーザーでも簡単に奥側に収納した収納物を左手でしっかりと握って確実に取出すことができるなど、ユニバーサルデザインに則した多くのユーザーの要求に合った優れた冷蔵庫を提供することができる効果を有する。
【発明を実施するための最良の形態】
【００１０】
実施の形態１．
図１はこの発明の実施の形態１による冷蔵庫の上部扉を開いた状態で示す正面図、図２は実施の形態１に示す冷蔵庫の冷蔵室右扉内板にポケットを装着して収納物を載置した状態で示す側面図、図３はこの発明の実施の形態１による冷蔵室右扉内板ポケットに収納物を載置して収納物を人手で右側横方向から取出す状態を示す要部拡大正面図、図４は図３に示す収納物を人手で左側横方向から取出す状態を示す要部拡大正面図である。
【００１１】
図において、１は冷蔵庫本体であり、それぞれ断熱壁（図示されていない）にて区画され独立した扉を有する冷蔵室２、製氷室３、温度設定切替可能な切替室４、野菜室５、冷凍室６から構成されている。前記冷蔵室２は、冷蔵庫本体１の上部に位置し、幅寸法の異なった小寸法の冷蔵室左扉７と大寸法の冷蔵室右扉８によって両側に開閉して設け、庫内には複数段に区画する複数の棚２ａを備えている。前記冷蔵室左扉７の庫内側および前記冷蔵室右扉８の庫内側は、それぞれ冷蔵室左扉内板９、冷蔵室右扉内板１０により形成されている。この冷蔵室左扉内板９および冷蔵室右扉内板１０は、インジェクション成形又は真空成形により前方に迫出した左扉内板ポケット左右側壁土手部９ａ、９ｂ、右扉内板ポケット左右側壁土手部１０ａ、１０ｂを一体成形により設けている。
【００１２】
前記左扉内板９および右扉内板１０の上部には、左扉内板ポケット左側壁土手部９ａおよび右側壁土手部９ｂと右扉内板ポケット左側壁土手部１０ａおよび右側壁土手部１０ｂにそれぞれ上下複数段に設けた、例えば、３５０ｍｌ缶等の小物収納物ａ１１を前後２列に収納する左扉上段小物ポケット１２ａ又は５００ｍｌペットボトル等の中物収納物ｂ１３を前後２列に収納する左扉下段小物ポケット１２ｂと右扉上段小物ポケット１４ａ又は５００ｍｌペットボトル等の中物収納物ｂ１３を前後２列に収納する右扉下段小物ポケット１４ｂを装着している。
【００１３】
また、前記左扉内板９および前記右扉内板１０の下部には、左扉内板ポケット下部左側壁土手部９ｃおよび下部右側壁土手部９ｄと、右扉内板ポケット下部左側壁土手部１０ｃおよび下部右側壁土手部１０ｄに、例えば、牛乳パックや９００ｍｌペットボトルなどの大物収納物ｃ１５を収納するのに適した寸法となっている左扉第１大物ポケット１６ａおよび右扉第１大物ポケット１７ａと、これらの左右第１大物ポケット１６ａ、１７ａの後方にそれぞれ左区画壁１６ｂ、右区画壁１７ｂで区画された例えば、２Ｌペットボトルである大物収納物ｄ１８を収納する左右第２大物ポケット１６ｃ、１７ｃを備えた左右扉大物ポケット１６、１７を設けている。
【００１４】
もちろん、収納物は前述の限りではない。前記左右扉上段小物ポケット１２ａ、１４ａと左右扉下段小物ポケット１２ｂ、１４ｂは冷蔵室左右扉内板９、１０に対して着脱自在であり、高さ方向に複数段階の取り付け構造を有しており、そのため、ユーザーが収納物にあわせて前記左右扉上段小物ポケット１２ａ、１４ａと左右扉下段小物ポケット１２ｂ、１４ｂ位置を必要に応じて変更することができる使い勝手のよい構造を有している。
【００１５】
前記左扉内板ポケット左側壁土手部９ａ、左扉内板ポケット右側壁土手部９ｂおよび右扉内板ポケット左側壁土手部１０ａ、右扉内板ポケット右側壁土手部１０ｂに成形した切り欠いて土手無し状態とした左扉ユニバーサルカット左部１９ａ、左扉ユニバーサルカット右部１９ｂおよび、右扉ユニバーサルカット左部２０ａ、右扉ユニバーサルカット右部２０ｂは、それぞれ前記左扉下段小物ポケット１２ｂ、右扉下段小物ポケット１４ｂと左扉大物ポケット１６、右扉大物ポケット１７との間に位置し、特に、第２大物ポケット１６ｃ、１７ｃに収納された、例えば、２Ｌペットボトルである大物収納物ｄ１８を容易にポケットから取出せる寸法に確保されるように設けられている。
【００１６】
例えば、１Ｌサイズの牛乳パックである前記大物収納物ｃ１５、例えば、２Ｌサイズの２Ｌペットボトルである前記大物収納物ｄ１８は、牛乳パックである大物収納物ｃ１５の高さＷ５を一般的な高さの２３５ｍｍとし、２Ｌペットボトルである大物収納物ｄ１８の高さＷ６を一般的な高さの３１０ｍｍとし、大物収納物ｄ１８の断面矩形状の薄いほうの奥行きＷ１を一般的な８８ｍｍとした場合、左右扉ユニバーサルカット１９、２０と第２左右扉大物ポケット１６ｃ、１７ｃの前後の区画壁１６ｂ、１７ｂの寸法の奥行き差Ｗ３は前記第２大物収納物ｄ１８の奥行きの少なくとも９０％以上の８０ｍｍである。
【００１７】
また左右扉ユニバーサルカット左右部１９ａ、１９ｂ、２０ａ、２０ｂの下端は区画壁１６ｂ、１７ｂの高部とほぼ同等の高さに位置する。左右扉のユニバーサルカット左右部１９ａ、１９ｂ、２０ａ、２０ｂの高さＷ７は一般的な２Ｌペットボトル等の大物収納物ｄ１８の高さＷ６のおよそ３分の２にあたる２１０ｍｍである。もちろん左右扉ユニバーサルカット左右部１９ａ、１９ｂ、２０ａ、２０ｂのサイズは前記寸法だけに拘束されるものではない。
【００１８】
前記複数の小物ポケット１２、１４のうち、下段に位置する左扉下段小物ポケット１２ｂ、右扉下段小物ポケット１４ｂを最下部に取り付けたときの左扉下段小物ポケット１２ｂ、右扉下段小物ポケット１４ｂの底面である左扉ユニバーサルカット１９又は右扉ユニバーサルカット２０と第２大物ポケット１６ｃ、１７ｃの区画壁１７ｂ、１８ｂよりも奥側に２Ｌペットボトル等の大物収納物ｄ１８を収納した状態での２Ｌペットボトル等の大物収納物ｄ１８の頂部との高さ方向の寸法Ｗ４は１０ｍｍ以内にしてある。
【００１９】
したがって、ユーザーは、もちろん左右扉ユニバーサルカット左右部１９ａ、１９ｂ、２０ａ、２０ｂのサイズが前述の寸法であれば、例えば、牛乳パック等の大物収納物１５が左扉第１大物ポケット１６ａ又は右扉第１大物ポケット１７ａに収納されている状態でも、図３の冷蔵室右扉内板ポケットに収納物を載置して大物収納物を人手で横方向から取出す状態を示す要部拡大正面図および図４に示す図３の大物収納物を左横側から取出す状態を示す要部拡大正面図に示すように、手前に置かれた牛乳パック等の大物収納物ｃ１５を気にせずに、人の手で２Ｌペットボトル等の大物収納物ｄ１８を右扉ユニバーサルカット左部２０aおよび右扉ユニバーサルカット右部２０ｂ側の横方向から左手又は右手でしっかりと握って引っ張りだす状態で確実に取り出すことができる。
【００２０】
また、冷蔵室右扉８を強烈に開閉したときにも第２大物ポケット１７ｃに収納した２Ｌペットボトル等の第２大物収納物ｄ１８が第２大物ポケット１７ｃの外に飛びでてしまおそれもなくなる。また、余分に２Ｌペットボトル等の第２大物収納物ｄ１８の取り出し軌跡をよけるために冷蔵室右扉８の断熱厚さを薄くする必要がないので、冷蔵室２からの熱漏洩量が大きくならないので、消費電力の浪費も抑えることができる。
【００２１】
また、２Ｌペットボトル等の大物収納物ｄ１８取り出し軌跡確保のために、第２大物ポケット１７ｃの奥行き寸法を大きくする必要もなくなるので、冷蔵室２の食品収納量を減らずにすむ。もちろん、食品収納量を確保した分、冷蔵庫本体１のサイズを小さくすることもできる。もちろん左扉ユニバーサルカット左部１９ａ、右扉ユニバーサルカット左部２０ａおよび左扉ユニバーサルカット右部１９ｂにおいても同様である。また、牛乳パック等の大物収納物ｃ１５に限らず、より背の高いビール瓶などをいれた場合でも同様の効果を得ることができる。また複数の小物ポケット１２ａ、１２ｂ、１４ａ、１４ｂは２Ｌペットボトル等の大物収納物ｄ１８の収納を妨げない範囲でほぼ最低まで下げることができるため、複数の小物ポケット１２ａ、１２ｂ、１４ａ、１４ｂの収納量を最大限に設けることができ、ユニバーサルデザインを考慮した仕様とすることにより、より使い勝手のよい冷蔵庫となる。
【００２２】
また、この発明の実施の形態１による前記小物ポケットは、２段階ではなく３段階にして中段小物ポケット（図示されていない）を設けても良く、より多く変更可能となってもよいものである。
【００２３】
図４はこの発明の実施の形態１の他の事例を示す冷蔵室扉内板の側面図である。冷蔵室左扉内板９は左扉ユニバーサルカット左部１９ａまたは左扉ユニバーサルカット右部１９ｂの裏側、または右扉内板１０は右扉ユニバーサルカット左部２０ａ及び右扉ユニバーサルカット右部２０ｂ両方の側壁裏側で扉断熱材８ａに突入する状態に裏リブ１０ｅが設けられている。この裏リブ１０ｅを設けることによって、冷蔵室左扉内板９、冷蔵室右扉内板１０の反りは抑制されるため、高品質な冷蔵室右扉内板８となり、ひいては高品質な冷蔵庫となる。
【００２４】
また、冷蔵室左扉内板７および右扉内板８はインジェクション成形品である。真空成形品でも構わないが、裏リブ１０ｅを設けようにも冷蔵室左扉内板７および右扉内板８の金型構造が複雑になったり、冷蔵室左扉内板７および右扉内板８の成形生産性の低下などの問題があり不向きである。また冷蔵室左扉内板７および右扉内板８の金型改造も簡単であり金型改造コストを低く抑えることができので、ひいては安価な冷蔵庫を提供することができる。もちろん、冷蔵室右扉内板にも同様なことをいうことができる。
【００２５】
なお、前記冷蔵室２は、両開式に限定されるものではなく、一枚式の扉方式でも適用することができる。
【００２６】
また、この発明の実施の形態１による両開き扉の冷蔵室の配置は冷蔵庫本体１の上段に限ることなく、冷蔵庫本体１の中段、又は下段に配置した他の実施の形態でも、両扉の扉内板に設けた扉内板ポケットの備えたユニバーサルカット部の機能にかわりはなく、実施の形態１と同様のユニバーサルデザインの思想に則った効果を有する。
【図面の簡単な説明】
【００２７】
【図１】この発明の実施の形態１による冷蔵庫の上部扉を開いた状態で示す正面図である。
【図２】この発明の実施の形態１による冷蔵庫の冷蔵室左右扉内板にポケットを装着して収納物を載置した状態で示す側面図である。
【図３】この発明の実施の形態１による冷蔵室右扉内板ポケットに収納物を載置して収納物を人手で右側横方向から取出す状態を示す要部拡大正面図である。
【図４】図４の収納物を人手で左側横方向から取出す状態を示す要部拡大正面図である。
【図５】この発明の実施の形態１による他の実施例を示す冷蔵庫扉内板の側面図である。
【符号の説明】
【００２８】
１ 冷蔵庫本体、２  冷蔵室、３  製氷室、４  切替室、５  野菜室、６  冷凍室、７  冷蔵室左扉、８  冷蔵室右扉、９  冷蔵室左扉内板、９ａ  左扉内板ポケット左側壁土手部、９ｂ  左扉内板ポケット右側壁土手部、９ｃ  左扉内板ポケット下部左側壁土手部、９ｄ  左扉内板ポケット下部右側壁土手部、９ｅ  左扉内板ポケット裏リブ、１０  冷蔵室右扉内板、１０ａ  右扉内板ポケット左側壁土手部、１０ｂ  右扉内板ポケット右側壁土手部、１０ｃ  右扉内板ポケット下部左側壁土手部、１０ｄ  右扉内板ポケット下部右側壁土手部、１０ｅ  右扉内板ポケット裏リブ、１１  小物収納物ａ、１２ａ  左扉第１小物ポケット、１２ｂ  左扉第２小物ポケット、１３  中物収納物、１４ａ  右扉第１小物ポケット、１４ｂ  右扉第２小物ポケット、１５  大物収納物ｃ、１６  左扉大物ポケット、１６ａ  左扉第１大物ポケット、１６ｂ  左扉区画壁、１６ｃ  左扉第２大物ポケット、１７  右扉大物ポケット、１７ａ  右扉第１大物ポケット、１７ｂ  右扉区画壁、１７ｃ  右扉第２大物ポケット、１８  大物収納物ｄ、１９  左扉ユニバーサルカット、１９ａ  左扉ユニバーサルカット左部、１９ｂ  左扉ユニバーサルカット右部、２０  右扉ユニバーサルカット、２０ａ  右扉ユニバーサルカット左部、２０ｂ  右扉ユニバーサルカット右部。
【図１】
2007046847.tif 000003
【図２】
2007046847.tif 000004
【図３】
2007046847.tif 000005
【図４】
2007046847.tif 000006
【図５】
2007046847.tif 000007